(57)【要約】【課題】患者等のベッド使用者にとって特有的に必要な機能を、低コストで用意することができ、各ベッド使用者に応じて最適のマットレスをカスタマイズすることが用意にできるプラットホーム化マットレス及びその使用方法を提供する。【解決手段】下層マットレス部材１が、ベッド上のマットレスとして必要な機能をもち、種々の患者等のベッド使用者にとって、共通に必要な機能を備えており、最低限の寝心地を有していて、それだけでも、患者が横臥するマットレスとしての機能を有する。また、患者等のベッド使用者の特性に応じて付加又は増大すべき機能、即ち、個々のベッド使用者にとって必要ではあるが、下層マットレス部材のみでは得られない機能は、上層マットレス部材１０，２０がもつ。そして、下層マットレス部材１と上層マットレス部材１０，２０とをカバー内に格納し、一体化させてマットレスとして使用する。【選択図】図１
2014212848.tif 000002
【特許請求の範囲】
【請求項１】
ベッド上のマットレスとして必要な機能を備える下層マットレス部材と、
ベッド使用者の特性に応じて前記下層マットレス部材に付加又は増大すべき機能をもつ上層マットレス部材と、
前記下層マットレス部材上に前記上層マットレス部材を分離可能に重ねた状態で、これらを被包して一体化させる袋状のカバーと、
を有することを特徴とするプラットホーム化マットレス。
【請求項２】
前記上層マットレス部材は、そのベッド長手方向に複数個に分割された領域と、ベッド幅方向の両側部の領域とを有し、各領域の機能が異なることを特徴とする請求項１に記載のプラットホーム化マットレス。
【請求項３】
前記下層マットレス部材の機能は、動きやすさ、体圧分散性、屈曲性、及び背上げ時の身体のずれ抑制機能からなる群から選択された少なくとも１種の機能をもち、前記上層マットレス部材の機能は、端座位における硬度を高くして使用者が立ち上がりやすくした機能、硬度を低くしてベッド使用者の身体との接触面積を高めた機能、特定部位の厚さを厚くして身体との接触面積を高めた機能、及び身体にかかる剪断力を軽減する機能からなる群から選択された少なくとも１種の機能をもつことを特徴とする請求項１又は２に記載のプラットホーム化マットレス。
【請求項４】
ベッド上のマットレスとして必要な機能を備える下層マットレス部材と、
ベッド使用者の特性に応じて前記下層マットレス部材に付加又は増大すべき機能をもつ複数個の上層マットレス部材と、
前記下層マットレス部材上に前記上層マットレス部材を分離可能に重ねた状態で、これらを被包して一体化させる袋状のカバーと、
を有するプラットホーム化マットレスを使用し、
ベッド使用者が変更になった場合、又はベッド使用者の状態が変化した場合、そのベッド使用者の現在の状態に応じて、適切な機能をもつ上層マットレス部材を選択し、前記下層マットレス部材と前記適切な機能をもつ上層マットレス部材とを重ねた状態で、これらを前記カバーにより被包し、マットレスとして使用することを特徴とするプラットホーム化マットレスの使用方法。
【発明の詳細な説明】
【技術分野】
【０００１】
本発明は、ギャッチベッド等に使用されるマットレスであって、マットレス上に横臥する患者等の状態に応じて適切な特性にカスタマイズすることができるプラットホーム化マットレス及びその使用方法に関する。
【背景技術】
【０００２】
ギャッチベッド及び固定ベッド等のベッドのフレーム上には、マットレスが載置されており、患者等のベッド使用者は、マットレス上に横臥する。この場合に、マットレスは、体圧分散性を重視したもの、寝返り等の動きやすさを重視したもの、快適性（寝心地）を重視したもの、使用者の身体がずれにくいもの、褥瘡防止を重視したもの並びにギャッチベッドの背上げ及び背下げ動作に際して曲がりやすいもの等、必要とする機能に応じて、種々の製品が用意されている。ベッド使用者は、自己が必要とする機能に応じて、適切な製品を選択して、使用することになる。
【０００３】
しかしながら、上述のごとく、マットレスは機能によって異なる製品となっており、病院及び介護施設等の患者を収容する施設においては、機能が異なる種々のマットレス製品を用意しておく必要がある。このため、このようなマットレス製品の購入のために、病院及び介護施設等の施設においては、多大の設備コストを負担する必要が生じ、資金力が乏しい施設においては、このようなコストを負担できず、治療上及び介護上、必要十分なマットレスを設備することができないという問題点がある。
【０００４】
また、新機能のマットレス製品が発売された場合には、その都度、新しいマットレスを購入して設備する必要があり、この点でも、設備コストの増大が問題となっている。
【０００５】
更に、患者の状態に応じて、必要な機能は、日によって、又は時間によって、変化するが、自宅介護の場合に、異なる機能をもつ種々のマットレスを用意することは、費用コスト及び保管場所等の問題から、到底できない。
【０００６】
従来、提案されているベッド用マットレスとして、特許文献１には、マットレス素材を側地により被包したマットレス片を、上層及び下層の２層構造とし、更に、この上層及び下層のマットレス片をベッド長手方向に複数対配置して、上層マットレス片がスライドすることにより、身体の沈み込みを防止し、褥瘡の発生を防止したものが開示されている。
【０００７】
また、特許文献２には、マットレスの上に敷布団を重ねて載置し、使用者の各身体部材に応じて敷布団の硬度を調整できると共に、運搬及び収納を容易にした寝具が開示されている。
【０００８】
更に、特許文献３には、下層のアンダーマットの上にアッパーマットを重ね、アッパーマットは、３つに分割された本体部と、本体部の左右両側に配置され３つに分割されたエッジマットとから構成された組み立て式マットレスが開示されており、本体部及びエッジマットの各分割体の境界が一致しないようにすることにより、隣接するマット部材間に生ずる段差により生ずる違和感を軽減した組み立て式マットレスが開示されている。
【０００９】
更にまた、特許文献４には、ベッド長手方向に３個に分割した各マットレス構成体が、下側マットレス片と上側マットレス片とを、マットレスカバーで被包したものであり、ギャッチベッドに適用した場合に、３個の分割されたマットレス構成体が、ベッドの形態に沿った形状に湾曲して、マットレス上の使用者の身体がずれないようにし、褥瘡を防止した分割型マットレスが開示されている。
【００１０】
更にまた、特許文献５には、複数個のクッション部材を、ファスナーにて連結した組み立て式マットレスであって、各クッション部材を分割状態で選択することを可能にした組み立て式マットレスが開示されている。
【００１１】
更にまた、特許文献６には、ギャッチ式ベッドのマットレスとして、第１の層状部材と第２の層状部材とを、それらの間に滑沢性シートを介装して積層し、これらの内装体を外装体で被包して一体化させたものが開示されている。このマットレスは、ギャッチベッドで背上げ動作が行われたときには、第１層状部材と第２層状部材とが滑沢性シートにより相対的に滑動すると共に、外装体が伸縮して、曲げやすくなっている。
【先行技術文献】
【特許文献】
【００１２】
【特許文献１】特開２００４−８６１６号公報
【特許文献２】特開２０１１−１８９１０９号公報
【特許文献３】特開２０１１−１９８２２号公報
【特許文献４】特開２００３−２６５２７２号公報
【特許文献５】特開２００１−２８１号公報
【特許文献６】特許第３５２５０２７号公報
【発明の概要】
【発明が解決しようとする課題】
【００１３】
しかしながら、これらの特許文献１乃至６に開示されたマットレスは、患者等のベッド使用者にとって、個別的に必要な機能を簡易にカスタマイズすることができるものではない。従って、ベッド使用者にとって、個別的に必要な機能を得ようとする場合は、マットレスの全体を交換する必要があり、前述の如く、設備コストが高いという問題点がある。
【００１４】
本発明はかかる問題点に鑑みてなされたものであって、患者等のベッド使用者にとって特有的に必要な機能を、低コストで用意することができ、各ベッド使用者に応じて最適のマットレスをカスタマイズすることが用意にできるプラットホーム化マットレス及びその使用方法を提供することを目的とする。
【課題を解決するための手段】
【００１５】
本発明に係るプラットホーム化マットレスは、
ベッド上のマットレスとして必要な機能を備える下層マットレス部材と、
ベッド使用者の特性に応じて前記下層マットレス部材に付加又は増大すべき機能をもつ上層マットレス部材と、
前記下層マットレス部材上に前記上層マットレス部材を分離可能に重ねた状態で、これらを被包して一体化させる袋状のカバーと、
を有することを特徴とする。
【００１６】
このプラットホーム化マットレスにおいて、前記上層マットレス部材は、そのベッド長手方向に複数個に分割された領域と、ベッド幅方向の両側部の領域とを有し、各領域の機能が異なるように構成することができる。
【００１７】
また、例えば、前記下層マットレス部材の機能は、動きやすさ、体圧分散性、屈曲性、及び背上げ時の身体のずれ抑制機能からなる群から選択された少なくとも１種の機能をもち、前記上層マットレス部材の機能は、端座位における硬度を高くして使用者が立ち上がりやすくした機能、硬度を低くしてベッド使用者の身体との接触面積を高めた機能、特定部位の厚さを厚くして身体との接触面積を高めた機能、及び身体にかかる剪断力を軽減する機能からなる群から選択された少なくとも１種の機能をもつ。
【００１８】
更に、本発明に係るプラットホーム化マットレスの使用方法は、
ベッド上のマットレスとして必要な機能を備える下層マットレス部材と、
ベッド使用者の特性に応じて前記下層マットレス部材に付加又は増大すべき機能をもつ複数個の上層マットレス部材と、
前記下層マットレス部材上に前記上層マットレス部材を分離可能に重ねた状態で、これらを被包して一体化させる袋状のカバーと、
を有するプラットホーム化マットレスを使用し、
ベッド使用者が変更になった場合、又はベッド使用者の状態が変化した場合、そのベッド使用者の現在の状態に応じて、適切な機能をもつ上層マットレス部材を選択し、前記下層マットレス部材と前記適切な機能をもつ上層マットレス部材とを重ねた状態で、これらを前記カバーにより被包し、マットレスとして使用することを特徴とする。
【発明の効果】
【００１９】
本発明は、下層マットレス部材が、ベッド上のマットレスとして必要な機能をもち、種々の患者等のベッド使用者にとって、共通に必要な機能を備えており、最低限の寝心地を有して、それだけでも、患者が横臥するマットレスとしての機能を有する。また、患者等のベッド使用者の特性に応じて前記下層マットレス部材に付加又は増大すべき機能、即ち、個々のベッド使用者にとって固有的に必要な機能であって、下層マットレス部材では不足する機能は、上層マットレス部材がもつ。そして、下層マットレス部材と上層マットレス部材とをカバー内に格納し、一体化させてマットレスとして使用する。これにより、異なる患者がベッドを使用することになり、その患者に必要な特有の機能が、前の患者と異なる場合、又は、患者の容体が年月と共に変化して、必要な機能が変化した場合に、上層マットレス部材のみを、適切なものに変更することにより、ベッド使用者固有の特性に応じた機能を付加又は選択することができる。従って、ベッド使用者にとって最適の機能をもつマットレスを容易に且つ低コストで得ることができ、このカスタマイズのための費用を著しく低減することができる。
【図面の簡単な説明】
【００２０】
【図１】（ａ）、（ｂ）、（ｃ）は、夫々、本発明の実施形態に係るプラットホーム化マットレスを示す斜視図である。
【図２】（ａ）、（ｂ）、（ｃ）は、夫々、本発明の実施形態に係るプラットホーム化マットレスを示す側面図である。
【図３】本発明の実施形態に係るプラットホーム化マットレスの外観図である。
【発明を実施するための形態】
【００２１】
以下、本発明の実施形態に係るプラットホーム化マットレス及びその使用方法について説明する。図１（ａ）及び図２（ａ）は、下層マットレス部材１を示す図である。下層マットレス部材１は、ベッドの全面に対応する幅及び長さを有する第１部材２と、この第１部材２の頭部側及び足部側の部分の下面に接合された第２部材３，４と、第１部材２の腰部の部分の上面に接合された第３部材６と、平面視で第１部材２における第３部材６と足部側第２部材４との間の部分における下面に接合された第４部材５とから構成される。第１部材２と第３部材６の上面はほぼ面一であり、第２部材３，４及び第４部材５の下面と、第１部材２における腰部の部分の下面とは、ほぼ面一である。従って、下層マットレス部材１は全体で板状をなす。第１部材２は、例えば、硬さが２００Ｎ（４０％圧縮）以上のポリエステル硬綿製であり、第２部材３，４及び第３部材６は、例えば、硬さが５０乃至１３０Ｎ（４０％圧縮）のウレタン製である。第４部材５は、同様に、ウレタン製であるが、硬さが１５０乃至５００Ｎ（４０％圧縮）であり、第２部材３，４及び第３部材６より高硬度としてある。ポリエステル硬綿製の第１部材２は、下層マットレス部材１の基本的な構造材となる。そして、腰部に相当する第３部材６は若干軟らかい素材で形成され、大腿部に相当する第４部材５は若干硬い素材で形成されている。
【００２２】
上層マットレス部材１０は、図１（ｂ）及び図２（ｂ）に示すように、下層マットレス部材１の上に、分離可能に重ねられる。この上層マットレス部材１０は下層マットレス部材１と同様の平面形状（幅及び長さ）を有し、その中央部分の第５部材１１と、幅方向の両端部の第６部材１３とから構成される。第５部材１１は、例えば、硬さが５０乃至１３０Ｎ（４０％圧縮）のウレタン製であり、第６部材１３は、例えば、同じくウレタン製であるが、硬さが１５０乃至５００Ｎ（４０％圧縮）と、中央部の第５部材１１より硬くなっている。また、第５部材１１の表面は、粗面化処理１２が施されている。上層マットレス１０は、例えば、その下面の一部に面ファスナーを接合しておき、下層マットレス部材１の上面の素材として、面ファスナーの機能をもつものを使用すると、上層マットレス部材１０と下層マットレス部材１とを、この面ファスナー同士で、分離可能に係止し、相互に固定することができる。この下層マットレス部材１の面ファスナーの機能をもつものとして、下層マットレス部材１の第３部材６を、例えば、膜なしウレタンで形成することができる。この膜なしウレタンは、洗浄時の流水性及び乾燥時の通気性を良くするために、通常のウレタンフォームの組織にある小さな膜を飛ばし、骨格のみ残したウレタンのことをいう。これにより、第３部材６は、その上面が面ファスナーとしての機能をもち、上層マットレス部材１０の下面の面ファスナーとの間で、上層マットレス部材１０と下層マットレス部材１とを相互に係止することができる。
【００２３】
図３は、本実施形態のカバー４０を示す斜視図である。この図３に示すように、カバー４０は、袋状をなし、下層マットレス部材１及び上層マットレス部材１０の積層体を内部に収納して、これらの下層マットレス部材１及び上層マットレス部材１０を被包する。カバー４０のベッド長手方向の端部の辺と、それに続く両側の辺の一部に、ファスナー４１が設けられていて、このファスナー４１を開閉することにより、下層マットレス部材１及び上層マットレス部材１０を内部に収納する。このカバー４０の両側部には、取っ手４２が２対設けられていて、マットレスを運搬する際の便宜に供するようになっている。例えば、カバー４０の上部４０ａは、ニット製であり、下部４０ｂは、織物製であって、カバー４０の側部で接合してある。なお、上部４０ａの上面には、製品ロゴ等をシルク印刷により表示することができる。
【００２４】
図１（ｃ）及び図２（ｃ）は、別の上層マットレス部材２０を示す。この上層マットレス部材２０は、ベッド幅方向に中央にてベッド長手方向に並置された２個の第７部材２１及び第８部材２２を有する。この第８部材２２は、均一な厚さの部分と、厚さが徐々に小さくなって、その上面が傾斜した傾斜面２３である部分とが、ベッドの長手方向に連なっている。そして、第７部材２１及び第８部材２２の平坦な表面上に、第９部材２４及び第１０部材２５が配置されており、第８部材２２の傾斜面２３上に、第１１部材２６が配置されている。これらの第９部材２４，第１０部材２５及び第１１部材２６は均一な厚さを有する。ベッド幅方向におけるこれらの第７部材２１及び第８部材２２の両側方には、ベッド長手方向の全長に延びる第１２部材２７が配置されており、この第１２部材２７の上には、ベッド長手方向に伸びる第１３部材２８が配置されている。これらの第７部材２１〜第１３部材２８は、相互に接合されて、一体的に構成されている。第７部材２１、第９部材２４，第１０部材２５及び第１１部材２６は、例えば、硬さが５０乃至１３０Ｎ（４０％圧縮）のウレタン製であり、第８部材２２は、例えば、硬さが１５０乃至５００Ｎ（４０％圧縮）のウレタン製である。そして、第１２部材２７は、例えば、硬さが２００Ｎ（４０％圧縮）以上のポリエステル硬綿製であり、第１３部材２８は、例えば、硬さが５０乃至１３０Ｎ（４０％圧縮）のウレタン製である。この上層マットレス部材２０は２層構造であり、マットレス上の位置における硬さをより任意に且つ広範に調整することができる。
【００２５】
なお、下層マットレス部材１は、それだけで、ベッド上のマットレスとして必要な機能をもつ。従って、下層マットレス部材１は、種々の患者等にとって、共通に必要な機能を備えており、最低限の寝心地を有していて、それだけでも、患者が横臥するマットレスとしての機能を有する。下層マットレス部材１は、前述のごとく、その上に横臥した患者は、動きやすいと共に、臀部の体圧分散性がすぐれている。図１（a）に示す下層マットレス部材１は、例えば、厚さが７ｃｍであり、薄型タイプのマットレスといえる。図１（ｂ）に示す下層マットレス部材１と上層マットレス部材１０との組み合わせのスタンダードタイプのプラットホーム化マットレスは、厚さが例えば９ｃｍであり、図１（ｃ）に示す下層マットレス部材１と上層マットレス部材２０との組み合わせの床ずれ防止タイプのプラットホーム化マットレスは、厚さが例えば１２．５ｃｍである。このように、上層マットレス部材の厚さが異なるので、カバー４０は、各厚さに対応したものを用意することが好ましい。即ち、患者等のベッド使用者の特性に応じて付加すべき機能、即ち、個々のベッド使用者にとって必要な機能は、上層マットレス部材がもつが、マットレス全体の厚さは、この上層マットレス部材の厚さにより変化するので、それに応じて適切なカバーを用意することが好ましい。
【００２６】
上述のごとく構成された本実施形態においては、図１（ｂ）、図２（ｂ）に示すように、下層マットレス部材１の上に上層マットレス部材１０を重ね、図３に示すカバー４０のファスナー４１を開にして、カバー４０内に上層マットレス部材１０及び下層マットレス部材１の積層体を収納する。そして、ファスナー４１を閉にして、上層マットレス部材１０及び下層マットレス部材１を一体的に格納した後、取っ手４２を利用してこのマットレスをベッドのフレーム上に運搬し、使用に供する。このマットレスにおいては、下層マットレス部材１は、マットレスとして万人に共通に必要な機能を備え、又は、寝具として最低限必要な機能を備え、この下層マットレス部材１のみを使用しても、マットレスとしての使用が可能である。そして、個々のベッド使用者にとって、下層マットレス部材１のみでは不足する機能、即ち、個々のベッド使用者にとって、固有的に必要ではあるが、下層マットレス部材１のみでは得られない機能は、上層マットレス部材１０が受け持つ。
【００２７】
図１（ａ），図２（ａ）の下層マットレス部材１は、第１部材２が硬さが２００Ｎ以上のポリエステル硬綿で成形されており、この第１部材２が、ベッド長手方向の全域に配置されているが、ベッド上に横臥した使用者の腰部の部分は、第１部材２上に、硬さが５０乃至１３０Ｎの軟らかいウレタン製の第３部材６が配置されているので、ベッド使用者の背部及び脚部は、硬い素材に支持され、腰部は、柔らかい素材に支持されることになる。このため、本実施形態の下層マットレス部材１は、腰部が沈み込みやすく、背部及び脚部が沈み込みにくいという特性をもつものとなる。
【００２８】
また、上層マットレス部材１０においては、ベッドの幅方向の端部に患者が座して、ベッドから離床しようとする端座位の姿勢をとったときに、上層マットレス部材１０の端部の第６部材１３の硬度が中央部よりも高いので、患者はベッドから離床しやすいという特性を持つ。そして、下層マットレス部材１の上に配置される上層マットレス部材１０は、その幅方向中央部の部分が、長手方向の全域にわたって、硬さが５０乃至１３０Ｎの軟らかいウレタン製の第５部材１１で占められているので、下層マットレス部材１による支持の相対的な硬軟の関係は、変化しない。つまり、下層マットレス部材１上に上層マットレス部材１０が重ねられたマットレスとして、ベッド使用者の背部及び脚部は、比較的硬い素材に支持され、腰部は、比較的軟らかい素材に支持される。
【００２９】
このように、ベッド使用者（患者）がベッド上に横臥した場合、その腰部（臀部）は、最下層に硬さが２００Ｎ以上の硬い第１部材２をおいて、その上に、硬さが５０乃至１３０Ｎの第５部材１１と硬さが５０乃至１３０Ｎの第３部材６の積層体が配置されたものの上に位置するので、実質的に硬さが５０乃至１３０Ｎのウレタンにより支持されることになる。また、患者の背部は、硬さが５０乃至１３０Ｎの第２部材３を最下層において、硬さが２００Ｎ（４０％圧縮）以上の硬いポリエステル硬綿からなる第１部材２と、硬さが５０乃至１３０Ｎの第５部材１１との積層体が配置されたものの上に位置しているので、硬い第１部材２の影響が強く、腰部（臀部）よりも硬い部分に支持されることになる。脚部は背部と同様の硬さの部分に支持されることになる。更に、患者の大腿部は、硬さが１５０乃至５００Ｎの第４部材５と、ポリエステル硬綿からなる第１部材２と、硬さが５０乃至１３０Ｎの第５部材１１との積層体の上に位置しているので、腰部はもとより、背部及び脚部よりも硬い部材に支持されることになる。
【００３０】
このように、下層マットレス部材１と上層マットレス部材１０とが積層されたマットレスの場合は、患者の臀部が最も軟らかい部分（硬さ５０乃至１３０Ｎ）に支持され、背部及び脚部が臀部の部分より硬い部分に支持され、大腿部が背部及び脚部の部分より硬い部分に支持される。このため、このマットレスは、患者が寝返りをしやすいと共に、患者の臀部は硬さが５０乃至１３０Ｎの部分に支持されるので、体圧分散性が優れていて、寝心地と体圧分散性との双方が優れたバランスが良いものとなる。しかも、ベッド端座位に、硬さが１５０乃至５００Ｎの硬い第６部材が配置されているので、前述のごとく、患者はベッドから離床しやすい。従って、下層マットレス部材１と上層マットレス部材１０との組み合わせは、寝心地と体圧分散性が優れ、更に、端座位が安定するという機能をもつスタンダードタイプのマットレスとなる。
【００３１】
一方、上層マットレス部材１０の代わりに、上層マットレス部材２０を下層マットレス部材１と組み合わせて使用した場合には、硬さが５０乃至１３０Ｎの第７部材２１と硬さが１５０乃至５００Ｎの第８部材２２とがベッド長手方向に配置されており、硬さが１５０乃至５００Ｎの第８部材２２は、傾斜面２３の部分で厚さがベッド長手方向に徐々に減少しているので、硬さも同様に徐々に低下している。よって、上層マットレス部材２０の場合は、ベッド長手方向に硬さが変化する。即ち、ベッド使用者は、背部が軟らかい第７部材２１により支持され、臀部が比較的硬い第８部材２２により支持され、第８部材２２の硬さは、足部側になるにつれて低くなっている。そして、上層マットレス部材２０は２層構造でその上層には、軟らかい第９部材２４，第１０部材２５及び第１１部材２６が配置されているので、ベッド使用者の感触が心地よいものとなっている。また、臀部の第８部材２２の硬さが比較的硬いので、人体の中で比較的重い臀部が上層マットレス部材２０内で沈み込んだ場合でも、この臀部が下層マットレス部材１まで到達する所謂底付きが生じることが防止される。また、上層マットレス部材２０の場合も、ベッドの端座位の位置では硬さが高いので、端座位が安定し、例えば、リハビリテーション中の患者が端座位で立ち上がりやすくなる。但し、上層マットレス部材１０と異なり、上層マットレス部材２０の場合は、端座位が２層構造になっており、下層の第１２部材２７は硬さが２００Ｎ以上と硬いが、その上層の第１３部材２８は硬さが５０乃至１３０Ｎと軟らかくなっているので、ベッド使用者の触感が心地よいものとなっている。
【００３２】
更に、上層マットレス部材２０の場合は、前述の如く、端座位が安定すると共に、仰臥位及び側臥位のいずれの場合も、また３０°以下の背上げ時においても、優れた体圧分散性が得られる。上層マットレス部材２０は、２層構造であり、例えば厚さが１２．５ｃｍと、単層構造の上層マットレス部材１０（例えば，厚さが９ｃｍ）よりも３．５ｃｍ厚いため、ベッド使用者との接触面積が上層マットレス部材１０よりも増大している。よって、この上層マットレス部材２０と下層マットレス部材１とを組み合わせたマットレスの場合は、体圧分散性が極めて優れており、床ずれ防止に極めて有効である。即ち、このマットレスは、仰臥位、側臥位、及び背上げ時の体圧分散性が優れているという機能をもつ床ずれ防止タイプのマットレスとなる。なお、上層マットレス部材を、より軟らかく、厚さをより厚くすると、患者の身体との接触面積がより増大し、体圧分散性がより優れたものとなり、褥瘡の予防に有効なマットレスを組み立てることができる。
【００３３】
上述のごとく、ベッド使用者の固有の特性に応じて、必要となる機能をもつ上層マットレス部材を選択し、これを共通に使用する１個の下層マットレス部材１と組み合わせて、所望の特性をもつマットレスを得る。一般的な患者の場合は、上層マットレス部材１０を使用し、床ずれが著しい患者の場合は、上層マットレス部材２０を使用する。下層マットレス部材１は、全ての患者に共通に使用する。このため、本実施形態においては、患者の固有の特性に応じて必要な機能を、上層マットレス部材を交換するだけで得ることができるので、その機能をもつ専用のマットレスを用意しておく必要がなく、病院及び介護施設においては、設備コストを低減できる。在宅介護の場合も、被介護者は、月単位又は年単位で、その容体が変化する。当初は、褥瘡がなかった被介護者が、年月の経過と共に、褥瘡が酷くなる場合があるが、このように容体が変化した場合も、上層マットレス部材を交換するだけで、その時に最適な特性のマットレスを得ることができる。よって、介護に必要な費用を節約することができる。このように、本実施形態においては、患者に必要な特有の機能を、上層マットレス部材のみを、適切なものに変更することにより、ベッド使用者固有の特性に応じた機能を付加することができるので、ベッド使用者にとって最適の機能をもつマットレスを容易に且つ低コストで得ることができ、このカスタマイズのための費用を著しく低減することができる。
【産業上の利用可能性】
【００３４】
本発明においては、マットレス特性を、容易に且つ低コストで、ベッド使用者に最適な特性にカスタマイズすることができるので、病院及び介護施設のベッド並びに在宅介護用ベッドのマットレス特性を容易に最適なものに調整することができ、介護の適正化及び低コスト化に多大の貢献をなす。
【符号の説明】
【００３５】
１：下層マットレス部材
２：第１部材
３、４：第２部材
５：第４部材
６：第３部材
１０、２０：上層マットレス部材
１１：第５部材
１３：第６部材
２１：第７部材
２２：第８部材
２４：第９部材
２５：第１０部材
２６：第１１部材
２７：第１２部材
２８：第１３部材
【図１】
2014212848.tif 000003
【図２】
2014212848.tif 000004
【図３】
2014212848.tif 000005